(57)【要約】      （修正有）【課題】船体のシンケージやトリムを抑制できるようにする。【解決手段】主船体１と、左右両側部の一対のサイドハル２とを、船首方向に所要の迎角を備えた側面翼型形状の連結デッキ３Ａを介して連結して一体構造の船体を備えた三胴船Ｉを形成する。三胴船Ｉの航走時には、各連結デッキ３Ａの下側に形成されているトンネル状空間４と、各連結デッキ３Ａの上側に、相対的に船首側より船尾方向への空気の流れ５が形成されるようになるため、この各連結デッキ３Ａの上下両側の空気の流れ５により、各連結デッキ３Ａに上向きの力を発生させて、三胴船Ｉの船体全体が沈み込み難くなるようにさせる。【選択図】図２
2010052565.tif 000002
【特許請求の範囲】
【請求項１】
中央の主船体と、該主船体の左右両側部に配置したサイドハルとを、連結デッキでそれぞれ連結して、該各連結デッキの下側に、主船体と各サイドハルとの間を通して前後方向に延び且つ前後両側が開放されたトンネル状空間が形成されるようにしてなる多胴船における上記各連結デッキを、翼型断面形状として、航走時に各連結デッキに生じる揚力で船体の沈み込みを抑制できるようにしてなる構成を有することを特徴とする多胴船の推進性能向上装置。
【請求項２】
各連結デッキを、船首方向に所要の迎角を備えてなるものとした請求項１記載の多胴船の推進性能向上装置。
【請求項３】
翼型断面形状としてある各連結デッキの前縁部と後縁部のいずれか一方又は双方に、高揚力装置を設けるようにした請求項１又は２記載の多胴船の推進性能向上装置。
【発明の詳細な説明】
【技術分野】
【０００１】
本発明は、中央部の主船体の左右両側部にサイドハルを備えて、主船体とサイドハルとを半没水状態で航走させるようにしてある多胴船の推進性能を向上させるようにする多胴船の推進性能向上装置に関するものである。
【背景技術】
【０００２】
中央部の主船体の左右両側部にサイドハルを備える三胴船や五胴船の如き多胴船は、単胴型の船舶や双胴型の船舶に比べて、中央部の主船体の左右両側部に一対又は複数対のサイドハルを有するという船型により、中央部の主船体の左右にある各サイドハルから上向きの力が発生することから、姿勢の安定化が図れるものである。
【０００３】
図１０は従来提案されている多胴船としての三胴船の一例の概略を示すもので、該三胴船Ｉは、中央部の主船体１の左右両側部に、一対のサイドハル２を配置し、上記主船体１と左右の各サイドハル２とを上部の連結デッキ３で連結して一体構造の船体とし、且つ上記中央部の主船体１と各サイドハル２とを半没水状態とするようにしてある。（たとえば、特許文献１参照）。
【０００４】
又、図１１は従来提案されている多胴船としての五胴船の一例の概略を示すもので、該五胴船IIは、たとえば、中央部の主船体１の前部寄りの左右両側部に一対の前部サイドハル２ａを、又、上記主船体１の後部寄りの左右両側部に一対の後部サイドハル２ｂをそれぞれ配置し、上記主船体１と、前部と後部に配した左右の各サイドハル２ａ，２ｂとを上部の連結デッキ３で連結して、一体構造の船体としてある（たとえば、特許文献１参照）。
【０００５】
【特許文献１】特表２００２−５１６７８５号公報（図３、図８）
【発明の開示】
【発明が解決しようとする課題】
【０００６】
ところが、上記図１０に示した三胴船Ｉや、図１１に示した五胴船IIのように、中央部の主船体１の左右両側部にサイドハル２，２ａ，２ｂを備えてなる多胴船では、上記主船体１と左右の各サイドハル２，２ａ，２ｂとを連結している各連結デッキ３の下側に、上記主船体１と左右の各サイドハル２，２ａ，２ｂとの間を通して前後方向に延び且つ前後両側が開放された図１０に符号４で示す如きトンネル状空間がそれぞれ形成されているため、上記多胴船の航走時には、該トンネル状空間４内に、相対的に船首側より船尾方向へ向かう空気の流れが形成されるようになる。したがって、多胴船の航走時には、上記主船体１と左右の各サイドハル２，２ａ，２ｂとを連結している連結デッキ３の部分では、その上下両側に、船首側から船尾方向へ向かう空気の流れが形成されるようになっているが、上記各連結デッキ３の形は、単に目標とする構造強度が得られるように決められているのみであって、該各連結デッキ３を多胴船の推進性能の向上に寄与させることができるようにする考えは、従来、特に提案されていないというのが実状である。
【０００７】
又、上記各連結デッキ３は、その形状によっては風波抵抗となってしまっていることもある。
【０００８】
そこで、本発明は、多胴船における中央部の主船体と左右両側部のサイドハルとを連結している連結デッキを有効活用して、該多胴船の推進性能の向上化を図ることができるようにした多胴船の推進性能向上装置を提供しようとするものである。
【課題を解決するための手段】
【０００９】
本発明は、上記課題を解決するために、請求項１に対応して、中央の主船体と、該主船体の左右両側部に配置したサイドハルとを、連結デッキでそれぞれ連結して、該各連結デッキの下側に、主船体と各サイドハルとの間を通して前後方向に延び且つ前後両側が開放されたトンネル状空間が形成されるようにしてなる多胴船における上記各連結デッキを、翼型断面形状として、航走時に各連結デッキに生じる揚力で船体の沈み込みを抑制できるようにしてなる構成とする。
【００１０】
又、上記構成において、各連結デッキを、船首方向に所要の迎角を備えてなるものとした構成とする。
【００１１】
更に、上記各構成において、翼型断面形状としてある各連結デッキの前縁部と後縁部のいずれか一方又は双方に、高揚力装置を設けるようにした構成とする。
【発明の効果】
【００１２】
本発明によれば、以下のような優れた効果を発揮する。  
（１）中央の主船体と、該主船体の左右両側部に配置したサイドハルとを、連結デッキでそれぞれ連結して、該各連結デッキの下側に、主船体と各サイドハルとの間を通して前後方向に延び且つ前後両側が開放されたトンネル状空間が形成されるようにしてなる多胴船における上記各連結デッキを、翼型断面形状として、航走時に各連結デッキに生じる揚力で船体の沈み込みを抑制できるようにしてなる構成を有する構成としてあるので、多胴船を航走させると、主船体と左右の各サイドハルとを連結している各連結デッキの下側のトンネル状空間を通して相対的に船首側より船尾方向へ向かう空気の流れと、上記各連結デッキの上側にて相対的に船首側より船尾方向へ向かう空気の流れにより、翼型断面形状としてある各連結デッキに揚力による上向きの力を作用させることができて、多胴船が航走時に沈み込み難くなるようにしてあることから、シンケージやトリムを抑えることができる。これにより、多胴船の航行時における船体の無駄な上下方向の動きを減らすことができるため、該多胴船の推進効率を高めることができる。  
（２）又、多胴船の航走時における縦揺れを抑制する効果も期待できる。  
（３）各連結デッキを、船首方向に所要の迎角を備えてなるものとした構成とすることにより、各連結デッキの下側の各トンネル状空間内では、船首側より流入する空気の圧力を高めることができて、この圧力が高められた空気によっても、上記各連結デッキに対して上向きの力を作用させることができるようになるため、上記（１）（２）の効果をより高めることが可能となる。  
（４）翼型断面形状としてある各連結デッキの前縁部と後縁部のいずれか一方又は双方に、高揚力装置を設けるようにした構成とすることにより、多胴船の航行時に翼型断面形状としてある各連結デッキで発生させる揚力として、高揚力を確保することができるようになるため、上記（１）（２）（３）の効果をより高めることが可能となる。
【発明を実施するための最良の形態】
【００１３】
以下、本発明を実施するための最良の形態を図面を参照して説明する。
【００１４】
図１乃至図３は本発明の多胴船の推進性能向上装置の実施の一形態として、多胴船としての三胴船に適用した場合を示すもので、図１０に示したと同様に、中央部の主船体１の左右両側部に、一対のサイドハル２を配置し、上記主船体１と左右の各サイドハル２とを上部の連結デッキで連結して一体構造の船体としてなる三胴船Ｉにおいて、上記主船体１と左右の各サイドハル２とを連結する各連結デッキを、それぞれ側面翼型形状の連結デッキ３Ａとしてなる構成とする。
【００１５】
更に、上記各連結デッキ３Ａを、それぞれ船首方向に所要の迎角を備えた構成とする。
【００１６】
なお、上記各連結デッキ３Ａは、低い迎角で高揚力型の側面翼型形状となるようにすることが望ましい。又、上記各連結デッキ３Ａは、目標とする構造強度の仕様を十分に満たす構造強度を備えてなるものとする。
【００１７】
その他、図１０に示したものと同一のものには同一符号が付してある。
【００１８】
以上の構成としてある本発明の多胴船の推進性能向上装置を装備した三胴船Ｉを航走させると、上記主船体１と左右の各サイドハル２とを連結している各連結デッキ３Ａの下側にて上記主船体１と左右の各サイドハル２との間で前後方向に延び且つ前後両側が開放されたトンネル状空間４内に、相対的に船首側より船尾方向へ向かう空気の流れ５が形成される。又、同時に、上記三胴船Ｉが航走することに起因して上記各連結デッキ３Ａの上側にも相対的に船首側より船尾方向へ向かう空気の流れ５が形成される。
【００１９】
この際、上記各連結デッキ３Ａが船首方向に所要の迎角を備えているため、上記各トンネル状空間４内では、船首側より流入する空気の圧力が高められるようになるため、該圧力が高められた空気により上記各連結デッキ３Ａに対して上向きの力が作用するようになる。
【００２０】
更に、上記各連結デッキ３Ａを側面翼型形状としてあるため、上記各連結デッキ３Ａの下側にてトンネル状空間４内を相対的に船首側より船尾方向へ向かう空気の流れ５と、該各連結デッキ３Ａの上側を相対的に船首側より船尾方向へ向かう空気の流れ５に基づいて、上記各連結デッキ３Ａには揚力が生じ、この揚力によっても、該各連結デッキ３Ａに対し上向きの力が作用するようになる。
【００２１】
したがって、上記三胴船Ｉの航走時には、上記各連結デッキ３Ａに対して上向きの力が作用することで、上記主船体１と各サイドハル２と各連結デッキ３Ａからなる該三胴船Ｉの船体全体が沈み難くなることから、シンケージやトリムを抑えることができるようになる。これにより、三胴船Ｉの航行時におけるシンケージやトリムの発生を抑えることで、船体の無駄な動きを減らすことができるようになるため、該三胴船Ｉの推進効率をより高めることができるようになる。
【００２２】
このように、本発明の多胴船の推進性能向上装置によれば、多胴船としての三胴船Ｉの推進性能の向上化を図ることができる。更には、三胴船Ｉの航走時に上記各連結デッキ３Ａに上向きの力が作用することで、船体運動時における縦揺れ（ピッチング）を抑制する効果も期待できる。
【００２３】
次に、図４乃至図６は本発明の実施の他の形態として、多胴船としての五胴船に適用した場合を示すもので、図１１に示したと同様に、中央部の主船体１の前部寄り位置と後部寄り位置の左右両側部に、前部と後部の左右一対のサイドハル２ａ，２ｂをそれぞれ配置し、上記主船体１とその左右両側の上記前部及び後部の各サイドハル２ａ及び２ｂとを上部の連結デッキで連結して一体構造の船体としてなる五胴船IIにおいて、上記主船体１とその左右両側の前部及び後部の各サイドハル２ａ及び２ｂとを連結する各連結デッキを、それぞれ船首方向に所要の迎角を備えた側面翼型形状の連結デッキ３Ａとしてなる構成としたものである。
【００２４】
なお、上記各連結デッキ３Ａの側面翼型形状は、低い迎角で高揚力型となるようにしてあるものとする。又、上記各連結デッキ３Ａは、目標とする構造強度の仕様を十分に満たす構造強度を備えてなるものとする。
【００２５】
その他の構成は図１乃至図３に示したものと同様であり、同一のものには同一の符号が付してある。
【００２６】
以上の構成としてある本実施の形態の多胴船の推進性能向上装置を装備した五胴船IIによっても、航走時には、上記主船体１とその左右両側の前部及び後部の各サイドハル２ａ及び２ｂを連結している各連結デッキ３Ａの下側に形成されているトンネル状空間４内に、相対的に船首側より船尾方向へ向かう空気の流れ５が形成されると同時に、上記三胴船Ｉが航走することに起因して上記各連結デッキ３Ａの上側にも相対的に船首側より船尾方向へ向かう空気の流れ５が形成されるようになり、このため、上記各トンネル状空間４内では、上記各連結デッキ３Ａが船首方向に所要の迎角を備えていることに起因して、船首側より流入する空気の圧力が高められ、この圧力が高められた空気により上記各連結デッキ３Ａに対して上向きの力が作用するようになる。
【００２７】
更に、上記各連結デッキ３Ａを側面翼型形状としてあることに起因して、該各連結デッキ３Ａの上下両側に相対的に船首側より船尾方向へ向かう空気の流れ５が形成されるときには、各連結デッキ３Ａに揚力が生じるため、この揚力によっても、該各連結デッキ３Ａに対し上向きの力が作用するようになる。
【００２８】
したがって、上記五胴船IIの航走時には、上記各連結デッキ３Ａに対して上向きの力が作用することで、上記主船体１と前部及び後部の各サイドハル２ａ及び２ｂと各連結デッキ３Ａからなる該五胴船IIの船体全体が沈み難くなることから、シンケージやトリムを抑えることができ、これにより、五胴船IIの航行時における船体の無駄な動きを減らすことができて、該五胴船IIの推進効率の向上化を図ることができる。更には、五胴船IIの航走時における縦揺れ（ピッチング）を抑制する効果も期待できる。
【００２９】
次いで、図７乃至図９は本発明の実施の更に他の形態として、図１乃至図３の実施の形態の応用例を示すもので、図１乃至図３に示したと同様に、中央部の主船体１と、その左右両側部のサイドハル２とを、側面翼型形状の連結デッキ３Ａでそれぞれ連結した構成において、該各連結デッキ３Ａの前縁部における連結デッキ３Ａ下側のトンネル状空間４と対応する幅方向の所要個所に、高揚力装置として、たとえば、スラット６を設け、更に、上記各連結デッキ３Ａの後縁部における連結デッキ３Ａ下側のトンネル状空間４と対応する幅方向の所要個所に、高揚力装置としてのフラップ７を設けてなる構成としたものである。
【００３０】
その他の構成は図１乃至図３に示したものと同様であり、同一のものには同一の符号が付してある。
【００３１】
本実施の形態によれば、各連結デッキ３Ａの前縁部に設けてあるスラット６と、後縁部に設けてあるフラップ７を、必要に応じて図８に実線で示した状態から二点鎖線で示した状態となるようにそれぞれ作動させることで、三胴船Ｉの航走時に該各連結デッキ３Ａで発生させる揚力が高められるようになる。
【００３２】
よって、三胴船Ｉの航走時には、上記各連結デッキ３Ａに高揚力が確保できるため、該三胴船Ｉのシンケージやトリムを抑える効果を高めることができる。このため、三胴船Ｉの航行時における船体の無駄な動きをより低減させることができて、該三胴船Ｉの推進効率の更なる向上化を図ることができる。更に、三胴船Ｉの航走時における縦揺れ（ピッチング）を抑制する効果の向上化も期待できる。
【００３３】
なお、本発明は上記各実施の形態のみに限定されるものではなく、中央部の主船体１と、その左右両側部のサイドハル２とを連結する連結デッキ３Ａの平面形状や、上下方向の配置は、本発明の多胴船の推進性能向上装置を適用する多胴船の主船体１とサイドハルの配置やサイズや形状等に応じて適宜変更してもよい。
【００３４】
各連結デッキ３Ａは、少なくとも下方にトンネル状空間が形成されている部分が船首方向に所要の迎角を備えた翼型断面形状としてあればよい。したがって、各連結デッキ３ａが主船体１や各サイドハル２，２ａ，２ｂの上側に取り付けられている部分については、必ずしも翼型としなくてもよい。
【００３５】
図４乃至図６の実施の形態と同様の構成において、中央部の主船体１と、その左右両側部のサイドハル２ａ，２ｂとを連結している側面翼型形状の連結デッキ３Ａの前縁部と後縁部に、図７乃至図９の実施の形態に示した、高揚力装置としてのスラット６とフラップ７をそれぞれ設ける構成としてもよい。このようにすれば、五胴船IIの航走時におけるシンケージやトリムを抑える効果を高めることができ、五胴船IIの航行時における船体の無駄な動きをより低減させることができて、該五胴船IIの推進効率の更なる向上化を図ることができると共に、五胴船IIの航走時における縦揺れ（ピッチング）を抑制する効果の向上化が期待できる。
【００３６】
図７乃至図９の実施の形態において、各連結デッキ３Ａの前縁部のスラット６と、後縁部のフラップ７のいずれか一方を、省略するようにしてもよい。又、図７乃至図９の実施の形態における各連結デッキ３Ａの前縁部に設ける高揚力装置は、必要に応じて多胴船の航走時に該各連結デッキ３Ａで発生させる揚力を高めるように作動させることができれば、前縁フラップ等、図示したスラット６以外の形式の高揚力装置としてもよい。又、各連結デッキ３Ａの後縁部に設ける高揚力装置は、必要に応じて多胴船の航走時に該各連結デッキ３Ａで発生させる揚力を高めるように作動させることができれば、図示したフラップ７以外のいかなる形式の高揚力装置を採用してもよい。
【００３７】
その他本発明の要旨を逸脱しない範囲内で種々変更を加え得ることは勿論である。
【図面の簡単な説明】
【００３８】
【図１】本発明の多胴船の推進性能向上装置の実施の一形態として三胴船に適用した状態を示す概略平面図である。
【図２】図１の装置の概略側面図である。
【図３】図２のＡ−Ａ方向矢視拡大図である。
【図４】本発明の多胴船の推進性能向上装置の実施の他の形態として五胴船に適用した状態を示は概略平面図である。
【図５】図４の装置の概略側面図である。
【図６】図５のＢ−Ｂ方向矢視拡大図である。
【図７】本発明の多胴船の推進性能向上装置の実施の更に他の形態として、図１乃至図３の実施の形態の応用例を示す概略平面図である。
【図８】図７のＣ−Ｃ方向矢視拡大図である。
【図９】図８のＤ−Ｄ方向矢視図である。
【図１０】従来提案されている三胴船の一例の概要を示す正面図である。
【図１１】従来提案されている五胴船の一例の概要を示す平面図である。
【符号の説明】
【００３９】
１  主船体
２，２ａ，２ｂ  サイドハル
３Ａ  連結デッキ
４  トンネル状空間
６  スラット（高揚力装置）
７  フラップ（高揚力装置）
【図１】
2010052565.tif 000003
【図２】
2010052565.tif 000004
【図３】
2010052565.tif 000005
【図４】
2010052565.tif 000006
【図５】
2010052565.tif 000007
【図６】
2010052565.tif 000008
【図７】
2010052565.tif 000009
【図８】
2010052565.tif 000010
【図９】
2010052565.tif 000011
【図１０】
2010052565.tif 000012
【図１１】
2010052565.tif 000013